(57)【要約】      （修正有）【課題】便器に備えられる機器を操作するための操作部が備えられるトイレ用手すりにおいて、操作部への人体の接触による機器の誤動作を防止するトイレ用手すりを提供する。【解決手段】着座式の便器の側方に取り付けられる長尺状の手すり本体２１’を有し、手すり本体２１’の側面または下面または先端面に、便器に備えられる機器を操作するための操作部８０が設けられたトイレ用手すり１であり、操作部８０は、手すり本体２１’の先端部に設ける。【選択図】図５
2015002842.tif 000002
【特許請求の範囲】
【請求項１】
着座式の便器の側方に取り付けられる長尺状の手すり本体を有し、
前記手すり本体の側面または下面または先端面に、前記便器に備えられる機器を操作するための操作部が設けられていることを特徴とするトイレ用手すり。
【請求項２】
前記手すり本体は、前後方向、左右方向、および上下方向に移動可能に前記便器に取り付けられていることを特徴とする請求項１に記載のトイレ用手すり。
【請求項３】
前記手すり本体は、前後方向面内に回動可能に前記便器に取り付けられていることを特徴とする請求項１または２に記載のトイレ用手すり。
【請求項４】
前記手すり本体は、前記便器の右側および左側のいずれにも取り付け可能であることを特徴とする請求項１から３のいずれか１項に記載のトイレ用手すり。
【請求項５】
前記手すり本体は、便器に取り付けられた便座を外すことなく、便器に対して着脱可能であることを特徴とする請求項１から４のいずれか１項に記載のトイレ用手すり。
【請求項６】
前記操作部はリモコンスイッチであり、リモコン通信用の赤外線発光部は、発した赤外線が前記便器に着座した人体に遮られない前記手すり本体上の部位に設けられていることを特徴とする請求項１から５のいずれか１項に記載のトイレ用手すり。
【請求項７】
前記手すり本体を上方に回動させて起立させた状態で前方に向く面には、前方の水平面と鈍角をなす鈍角面が形成されており、交換を要する部材を収納可能な収納部が、前記鈍角面に開口面を有して前記手すり本体に形成されていることを特徴とする請求項３から６のいずれか１項に記載のトイレ用手すり。
【請求項８】
前記トイレ用手すりは、ベース板をさらに有し、
前記ベース板は、前記便器と前記便器に取り付けられる便座との間に挟まれて前記便器に固定され、
前記手すり本体は、前記ベース板に取り付けられることを特徴とする請求項１から７のいずれか１項に記載のトイレ用手すり。
【請求項９】
前記トイレ用手すりは、前記手すり本体の後端部に結合された固定部をさらに有し、
前記ベース板は、平面状の水平部と、前記水平部と垂直に前記水平部の両端縁から垂下した側面部を有してなり、
前記固定部は、前記ベース板の側面部上の複数の位置に取り付け可能であることを特徴とする請求項８に記載のトイレ用手すり。
【請求項１０】
前記手すり本体は、前記固定部に回動可能に結合されていることを特徴とする請求項９に記載のトイレ用手すり。
【請求項１１】
前記固定部にはネジ穴が形成され、
前記ベース板の側面部には、貫通孔が複数の位置に形成されており、
前記手すり本体は、前記貫通孔に挿通したネジを前記固定部のネジ穴に締結することによって、前記ベース板の側面部に取り付けられていることを特徴とする請求項９または１０に記載のトイレ用手すり。
【請求項１２】
前記固定部は、対向する２面に前記ネジ穴を有することを特徴とする請求項１１に記載のトイレ用手すり。
【請求項１３】
前記固定部は、前記固定部と前記ベース板との間に板状のスペーサを挟んだ状態で、前記ベース板に取り付け可能であることを特徴とする請求項９から１２のいずれか１項に記載のトイレ用手すり。
【発明の詳細な説明】
【技術分野】
【０００１】
本発明は、トイレ用手すりに関し、さらに詳しくは、トイレに備えられる機器を操作するための操作部を備えたトイレ用手すりに関するものである。
【背景技術】
【０００２】
着座式の便器には、着座動作や起立動作を補助したり、着座中の姿勢の保持を補助したりする目的で、手すりが設けられることがある。使用者による把持や体重の支持が行いやすいように、種々の形状の手すりが考案されている。例えば特許文献１には、便器の着座面に対して略水平に設けられた水平部と、水平部先端から上方に向けて設けられた連接部と、上面に平坦面または凸状の曲面が形成され、連接部の先端に設けられた載置転換把持部を有するトイレ用手すりが開示されている。
【０００３】
また、着座式便器には、温水を噴出して人体局部を洗浄するための温水洗浄装置や、着座面を加熱する便座暖房装置等の機器が設けられることが多いが、これらの機器を操作するための操作部を手すりに設ける構成が提案されている。例えば、特許文献２には、収納自在な便器と連動される収納自在な肘掛けの上面に、局部洗浄装置の操作部が設けられた便器ユニットが開示されている。
【先行技術文献】
【特許文献】
【０００４】
【特許文献１】特開２００９−３４４１４号公報
【特許文献２】特開平３−１２６４１７号公報
【発明の概要】
【発明が解決しようとする課題】
【０００５】
特許文献２の便器ユニットのように、手すり（肘掛け）の上面に機器の操作部が設けられている場合には、着座動作や起立動作のために手すりで体を支持した際や、着座した状態で手すりに手や腕を置いた際に、使用者の人体が操作部に接触しやすい。これにより、機器が誤操作されやすくなる。
【０００６】
本発明が解決しようとする課題は、便器に備えられる機器を操作するための操作部が備えられるトイレ用手すりにおいて、操作部への人体の接触による機器の誤動作が防止されたトイレ用手すりを提供することにある。
【課題を解決するための手段】
【０００７】
上記課題を解決するために、本発明にかかるトイレ用手すりは、着座式の便器の側方に取り付けられる長尺状の手すり本体を有し、前記手すり本体の側面または下面または先端面に、前記便器に備えられる機器を操作するための操作部が設けられていることを要旨とする。
【０００８】
ここで、前記手すり本体は、前後方向、左右方向、および上下方向に移動可能に前記便器に取り付けられているとよい。
【０００９】
そして、前記手すり本体は、前後方向面内に回動可能に前記便器に取り付けられているとよい。
【００１０】
また、前記手すり本体は、前記便器の右側および左側のいずれにも取り付け可能であることが好ましい。
【００１１】
そして、前記手すり本体は、便器に取り付けられた便座を外すことなく、便器に対して着脱可能であるとよい。
【００１２】
また、前記操作部はリモコンスイッチであり、リモコン通信用の赤外線発光部は、発した赤外線が前記便器に着座した人体に遮られない前記手すり本体上の部位に設けられていることが好ましい。
【００１３】
そして、前記手すり本体を上方に回動させて起立させた状態で前方に向く面には、前方の水平面と鈍角をなす鈍角面が形成されており、交換を要する部材を収納可能な収納部が、前記鈍角面に開口面を有して前記手すり本体に形成されているとよい。
【００１４】
また、前記トイレ用手すりは、ベース板をさらに有し、前記ベース板は、前記便器と前記便器に取り付けられる便座との間に挟まれて前記便器に固定され、前記手すり本体は、前記ベース板に取り付けられることが好ましい。
【００１５】
さらに、前記トイレ用手すりは、前記手すり本体の後端部に結合された固定部をさらに有してなり、前記ベース板は、平面状の水平部と、前記水平部と垂直に前記水平部の両端縁から垂下した側面部を有してなり、前記固定部は、前記ベース板の側面部上の複数の位置に取り付け可能であるとよい。
【００１６】
さらに、前記手すり本体は、前記固定部に回動可能に結合されていることが好ましい。
【００１７】
そして、前記固定部にはネジ穴が形成され、前記ベース板の側面部には、貫通孔が複数の位置に形成されており、前記手すり本体は、前記貫通孔に挿通したネジを前記固定部のネジ穴に締結することによって、前記ベース板の側面部に取り付けられていることが好適である。
【００１８】
さらに、前記固定部は、対向する２面に前記ネジ穴を有するとよい。
【００１９】
また、前記固定部は、前記固定部と前記ベース板との間に板状のスペーサを挟んだ状態で、前記ベース板に取り付け可能であるとよい。
【発明の効果】
【００２０】
上記発明にかかるトイレ用手すりにおいては、操作部が手すり本体の側面または下面または先端面に設けられているため、使用者が手すり本体で体を支持して着座動作や起立動作を行う際や、着座中に手すり本体に手や腕を載置した際に、使用者の体が操作部に接触しにくく、使用者の体重が操作部に印加されにくい。よって、操作部への意図しない接触によって、機器が誤動作されることが防止される。
【００２１】
ここで、手すり本体が、前後方向、左右方向、および上下方向に移動可能に便器に取り付けられている場合には、使用者の体格や姿勢の好みに合わせて、手すり本体の取り付け位置を調整することができる。
【００２２】
そして、手すり本体が、前後方向面内に回動可能に便器に取り付けられている場合には、使用者の体格や好みに合わせて、手すり本体の取り付け角度を調整することができる。
【００２３】
また、手すり本体が、便器の右側および左側のいずれにも取り付け可能である場合には、使用者の好みや手すりが取り付けられるトイレ室の構造等に応じて、手すりの取り付け位置として、便座の右側のみ、左側のみ、左右両側のいずれでも選択することができる。
【００２４】
そして、手すり本体が、便器に取り付けられた便座を外すことなく、便器に対して着脱可能である場合には、清掃等のために手すり本体を取り外したい際や、手すり本体の取り付け位置を変更したい際に、手すり本体の取り外しや、その後の取り付けを、容易に行うことができる。
【００２５】
また、操作部がリモコンスイッチであり、リモコン通信用の赤外線発光部は、発した赤外線が便器に着座した人体に遮られない手すり本体上の部位に設けられている場合には、使用者が手すり本体に手や腕を載置した状態でも、リモコンスイッチの操作を行うことができ、機器操作の利便性が高くなる。
【００２６】
そして、手すり本体を上方に回動させて起立させた状態で前方に向く面に、前方の水平面と鈍角をなす鈍角面が形成されており、交換を要する部材を収納可能な収納部が、鈍角面に開口面を有して手すり本体に形成されている場合には、手すり本体を起立させた状態で交換を要する部材の交換を行えば、操作が他の部材によって妨げられたり、交換を要する部材が落下しやすくなったりすることなく、容易に交換を要する部材の交換を行うことができる。また、手すりを倒した状態では、収納部が使用者に視認されにくく、手すりの意匠性も高くなる。
【００２７】
また、トイレ用手すりが、ベース板をさらに有し、ベース板が、便器と、便器に取り付けられる便座との間に挟まれて便器に固定され、手すり本体が、ベース板に取り付けられる場合には、ベース板を便器に固定したまま、手すり本体のみをベース板から取り外すことで、清掃時や手すり本体の取り付け位置の変更時に、手すり本体を容易に便器から取り外すことができる。また、ベース板を取り付けることができれば、任意の便器に手すり本体を取り付けることが可能となり、種々の便器に手すり本体取り付けることができる。さらに、共通のベース板を使用して、種々の手すり本体を便器に取り付けることも可能となるので、手すり本体を交換する際に要する費用を低く抑えることができる。
【００２８】
さらに、トイレ用手すりが、手すり本体の後端部に結合された固定部をさらに有し、ベース板が、平面状の水平部と、水平部と垂直に水平部の両端縁から垂下した側面部を有してなり、固定部が、ベース板の側面部上の複数の位置に取り付け可能である場合には、手すり本体を便器に対して複数の位置に取り付けることができる。
【００２９】
さらに、手すり本体が、固定部に回動可能に結合されている場合には、便器に対する手すり本体の前後方向面内での角度の調整を、容易に行うことができる。
【００３０】
そして、固定部にネジ穴が形成され、ベース板の側面部には、貫通孔が複数の位置に形成されており、手すり本体は、貫通孔に挿通したネジを固定部のネジ穴に締結することによって、ベース板の側面部に取り付けられている場合には、簡素な構成で、手すり本体を便器に対して前後方向および上下方向の複数の位置に容易に取り付けることができるようになる。また、便器に対する手すり本体の着脱も、容易に行うことができる。
【００３１】
さらに、前記固定部が、対向する２面にネジ穴を有していると、それぞれの面を使用して手すり本体をベース板に取り付けることで、簡素な構成で、手すり本体を便器の左右いずれの側にも取り付けることができるようになる。
【００３２】
また固定部が、固定部とベース板との間に板状のスペーサを挟んだ状態で、ベース板に取り付け可能である場合には、スペーサの厚さや枚数を変更することで、便器の左右方向への手すりの取り付け位置を容易に調節することができる。
【図面の簡単な説明】
【００３３】
【図１】本発明の一実施形態にかかるトイレ用手すりを示す分解斜視図である。
【図２】上記トイレ用手すりの外観パネルを設けない状態での斜視図である。
【図３】上記トイレ用手すりを便器に取り付けた状態を外観パネルを除いて示す斜視図である。
【図４】手すり本体を内側から見た斜視図である。
【図５】手すり本体の先端部を下側から見た斜視図である。
【図６】手すり本体を跳ね上げた状態を示す側面図である。
【発明を実施するための形態】
【００３４】
以下、本発明の一実施形態にかかるトイレ用手すりについて、図面を参照しながら詳細に説明する。
【００３５】
まず、図１〜３を参照して、本発明の一実施形態にかかるトイレ用手すり（以下単に、手すりと称する場合がある）１の構造を説明する。手すり１は、着座式便器２の側方に取り付けられ、使用者が便器２への着座動作、便器２からの起立動作を行うのを補助したり、着座中の姿勢を維持するのを補助したりするためのものである。なお、本明細書において、前後、上下、左右の各方向は、手すり１が取り付けられた便器２に着座した使用者から見た方向として定義する。
【００３６】
手すり１は、ベース板１０と、アーム部２０を主としてなり、他に、スペーサ４０ａ，４０ｂ、第一化粧板５０、第二化粧板５５と、第三化粧板６０、（雄）ネジ６５を有する。さらに、手すり１は、アーム部２０を覆う外観パネル７０を有するが、図１〜３では、外観パネル７０が省略されている。
【００３７】
ベース板１０は、略水平に形成された便器２の上面と平行になる水平部１１と、水平部１１の両側の側端縁から水平部１１と垂直に垂下した側面部１２ａ，１２ｂよりなる。水平部１１には、ベース板１０を便器２に固定するためのベース固定穴１３，１３が形成されている。ベース固定穴１３，１３は、長穴形状を有する貫通孔として形成されており、それらの位置は、便座３を便器２に固定する２つのネジ（不図示）の位置と合致している。
【００３８】
左右の側面部１２ａ，１２ｂは同じ構造を有し、アーム部２０をベース板１０に取り付けるための複数のアーム取付穴１４が形成されている。アーム取付穴１４は、略円形の貫通孔として形成されている。アーム取付穴１４は、側面部１２ａ，１２ｂに、上下方向および前後方向に等間隔の配列をなして、複数個が配置されている。
【００３９】
アーム部２０は、本体骨格２１と、固定部３０を有してなる。本体骨格２１は、使用者が把持したり、腕や手を載置したりするための手すり本体２１’の骨格となるものであり、長尺状の部材として形成されている。中途部位には湾曲部２４が形成され、湾曲部２４よりも前方の部位が骨格延出部２２、湾曲部２４よりも後方の部位が骨格基部２３となっている。アーム部２０を便座２に取り付けると。骨格基部２３が便座側部から前方斜め上に延び、その先端に骨格延出部２２が延出した状態となる。
【００４０】
骨格基部２３の後端部には、ラチェット機構を備えるヒンジ部３５を介して、固定部３０が結合されている。本体骨格２１と固定部３０は、ヒンジ部３５のラチェット機構によって、相互に対して、前後方向面内で回転可能となっている。
【００４１】
固定部３０は、板状の基板３１の両面に、片面あたり４つずつ、柱状に突出した取付柱３２を有する。取付柱３２は、ベース板１０の側面部１２ａ，１２ｂに形成されたアーム取付穴１４の径よりも一回り小さい外径を有している。また、基板３１の各面に形成された４つの取付柱３２は、矩形の頂点をなすように配置され、それらの相互間の配置は、ベース板１０のアーム取付穴１４の配列における相互間の配置と一致している。つまり、固定部３０の４つの取付柱３２は、ベース板１０のアーム取付穴１４のうちの矩形の頂点をなして隣接する４つに一体的に挿通可能となっている。各取付柱３２には、（雌）ネジ穴３３が形成されている。
【００４２】
スペーサ４０ａ，４０ｂは、略四角形の板状の部材であり、固定部３０の取付柱３２およびベース板１０のアーム取付穴１４の相互配置に一致する相互配置を有して、それぞれ４つのスペーサ穴４１ａ，４１ｂが貫通孔として形成されている。スペーサ穴４１ａ，４１ｂは、ネジ６５および固定部３０の取付柱３２を挿通可能であり、アーム取付穴１４とほぼ同じ径を有する。内側スペーサ４０ａはベース板１０の側面部１２ａ，１２ｂの内側（アーム部２０が取り付けられるのと反対側）に、４０ｂは側面部１２ａ，１２ｂの外側（アーム部２０が取り付けられる側）に配置される。内側スペーサ４０ａは、ネジ６５のがたつきを防止する役割を果たす。一方、外側スペーサ４０ｂは、ベース板１０とアーム部２０との間の距離を調節する役割を果たす。
【００４３】
第一化粧板５０は、面部５１と、面部５１の上方を除く外周縁上に面部５１に対して略垂直に形成された縁部５２とを有する。面部５１には、４つの第一化粧板穴５３が形成されている。第一化粧板穴５３は、ベース板１０のアーム取付穴１４、固定部３０の取付柱３２、スペーサ４０ａ，４０ｂのスペーサ穴４１ａ，４１ｂと同じ相互配置を有し、アーム部２０の取付柱３２を挿通可能な貫通孔として形成されている。第二化粧板５５も、第一化粧板５０と同様の構造を有し、第二化粧板穴５８が形成された面部５６と、縁部５７を有してなる。第一化粧板５０と第二化粧板５５は、間にアーム部２０の固定部３０を挟んだ状態で、縁部５２、５７の端縁で相互に係合可能である。これにより、アーム部２０の固定部３０を外部から視認されないように覆い隠すことができる。この際、アーム部２０の本体骨格２１は、２つの化粧板５０、５５の上部の縁部５２、５７が形成されていない部位から突出する。第三化粧板６０は、第二化粧板５５の４つの化粧板穴５８を含む部位を被覆した状態で、第二化粧板５５と係合する。第三化粧板６０は、第二化粧板穴５８や取付柱３２を外部から視認されないように覆い隠す役割を果たす。
【００４４】
手すり１を便器２の側方に取り付けるに際し、まず、ベース板１０を便器２に固定する必要がある。通常、着座面となる便座３は、便器２に対してネジ留めによって固定されているが、便器２と便座３の間に、ベース板１０の水平部１１を挟んで固定すればよい。つまり、ベース固定穴１３，１３の位置を便座３固定用のネジの位置に合わせて、便座３と共締めすることによって、ベース板１０を便器２に固定すればよい。
【００４５】
便器２に固定されたベース板１０にアーム部２０を取り付けるには、図１のように、ベース板１０の内側にスペーサ４０ａを配置し、ベース板１０の外側に、ベース板１０側から外側スペーサ４０ｂ、第一化粧板５０、アーム部２０の固定部３０を配置する。この時、アーム取付穴１４、スペーサ穴４１ａ，４１ｂ、取付柱３２、第一化粧板穴５３の位置を、相互に揃えておく。そして、固定部３０基板３０の２面のうちベース板１０側に向いている方の面に形成された取付柱３２を、第一化粧板５０、外側スペーサ４０ｂ、ベース板１０、内側スペーサ４０ａのうちの少なくとも一部の穴に挿通させる。さらに、内側スペーサ４０ａのスペーサ穴４１ａから、取付柱３２に達する長さを有する４本の（雄）ネジ６５を挿通し、取付柱３２のネジ穴３３に締め込む。最後に、固定部３０の外側から、第二化粧板５５と第三化粧板６０を取り付ける。これにより、図２および図３に示すように、取付機構を外部に露出させることなく、ベース板１０を介して、本体骨格２１を便器２に取り付けることができる。
【００４６】
アーム部２０の本体骨格２１はさらに、外観パネル７０によって覆われ、手すり本体２１’を形成する。図４〜６に、外観パネル７０によって覆われた状態の手すり本体２１’を示す。外観パネル７０は、本体骨格２１の側面を覆う２枚の第一パネル７０ａと、本体骨格２１の下面を覆う第二パネル７０ｂと、本体骨格２１の上面および先端面を覆う第三パネル７０ｃとが組み合わせられてなり、本体骨格２１の全周を被覆している。手すり本体２１’は、その長手方向に直交する断面が四角形の形状を有する。なおここで、断面形状について四角形とは、厳密な四角形の場合のみを指すのではなく、四角形の頂点が丸みを帯びた形状等、四角形に近似される形状も含むものとする。
【００４７】
図５に、外観パネル７０を取り付けた状態の手すり本体２１’を示す。骨格延出部２２を被覆するパネル延出部７２の先端部に、局部洗浄のための温水洗浄装置、便座暖房装置等、便器２に付属する機器（不図示）を操作するための操作スイッチ群８０が形成されている。例えば、操作スイッチ群８０は、異なる操作に対応する複数のスイッチ８０ａ，８０ｂ，８０ｃよりなる。スイッチ８０ａは、パネル延出部７２の下面７２ａに設けられている。スイッチ８０ｂは、パネル延出部７２の側面７２ｂに設けられている。スイッチ８０ｃは、パネル延出部７２の先端面７２ｃに設けられている。ここで、下面７２ａ、側面７２ｂ、先端面７２ｃとの方向は、手すり本体２１’を便器２に取り付けた状態で、かつパネル延出部７２を略水平とした状態で規定される。また、パネル延出部７２の先端部とは、おおむねパネル延出部７２の前方側１／３または１／２程度の領域を指す。
【００４８】
操作スイッチ群８０は、有線通信または赤外リモコン通信等の無線通信のいずれを用いて便器２に備えられた機器を制御するものであってもよい。リモコン通信形式の場合に、赤外線を発する発光部８５は、図４に示すように、自身が発した赤外線が便器２に着座した人体に遮られない位置に形成されている。具体的には、発光部８５は、骨格基部２３を覆うパネル基部７３の後端部近傍の、上面７３ｄと側面７３ｂの境界領域に設けられている。
【００４９】
ここで、操作スイッチ群８０と発光部８５を利用したリモコン通信に要する電力は、電力供給手段としての電池によって賄われるが、その電池を収納する収納部としての電池ボックス９０が、図５、６に示すように、パネル基部７３の下面７３ａにその開口部９０ｂが臨むように形成され、蓋９０ａがパネル基部７３の下面７３ａに固定されている。図６に示すように、手すり本体２１’をヒンジ部３５のラチェット機構を利用して回動させ、上方に跳ね上げた状態で、手すり本体２１’の下面７３ａとその前方の水平面Ｈとの間の角度θが、鈍角となっている。つまり、水平面Ｈと鈍角をなす鈍角面に、電池ボックス９０の開口部９０ｂが位置する状態となる。
【００５０】
上記実施形態にかかる手すり１においては、機器の制御用の操作スイッチ群８０が、手すり本体２１’のパネル延出部７２の側面７２ｂ、下面７２ａ、または先端面７２ｃに設けられている。便器２に着座する際、または便器２から起立する際に、使用者は、パネル延出部７２の上面７２ｄに手や腕を載置し、体重を支持する。また、着座した使用者は、パネル延出部７２の上面７２ｄに手や腕を載置して、楽な体勢を保持する。このように、パネル延出部７２の上面７２ｄは、使用者の人体と接触しやすく、さらに使用者から体重を印加されやすい。一方、パネル延出部７２の側面７２ｂ、下面７２ａおよび先端面７２ｃには、使用者の手や腕が接触しにくく、接触したとしても、使用者の体重が印加されにくい。従って、パネル延出部７２の上面７２ｄではなく、側面７２ｂまたは下面７２ａまたは先端面７２ｃに操作用スイッチ群が形成されていることで、着座、起立動作時や、着座中の使用者の人体との接触によって、操作スイッチが意図せず押され、便器２に備えられた機器が誤動作することが防がれる。
【００５１】
ここで、操作スイッチ群８０が設けられる部位であるパネル延出部７２の側面７２ｂまたは下面７２ａまたは先端面７２ｃとは、パネル延出部７２の上面７２ｄを除く面を示すものであり、パネル延出部７２の上面７２ｄとは、パネル延出部７２を上方から見た際に、見える面のことである。パネル延出部７２が、断面四角形以外の形状を有する場合にも、手すり本体２１’を上方から見た際に見える面を除くパネル延出部７２の表面に、操作スイッチ群８０を形成すればよい。
【００５２】
また、上記実施形態においては、操作スイッチ群８０がパネル延出部７２の先端部に配置されていることにより、便器２に着座した使用者が、着座した姿勢のままで、容易に操作スイッチ群８０を操作することができる。より好ましくは、操作スイッチ群８０が便座３の先端部よりも前方に位置していると、操作スイッチ群８０の操作がますます容易になる。ただし、操作性は低減するものの、操作スイッチ群８０は、パネル延出部７２の後方部や、パネル基部７３に設けられる構成であっても、パネル延出部７２およびパネル基部７３の上面７２ｄ，７３ｄに設けられていなければ、誤操作の防止という目的を果たすことができる。
【００５３】
本手すり１においては、便器２に対して固定されたベース板１０に、本体骨格２１を有するアーム部２０を取り付ける構成を有することで、手すり本体２１’の便器２への取り付けを容易に行うことができる。つまり、ベース板１０を便器２に固定したままにして、清掃、保守などが必要な際に、手すり本体２１’をベース板１０から取り外し、再びベース板１０に取り付けることが容易に行える。この際、便座３を外すことも必要ない。また、固定部３０の構造さえ同じにしておけば、当初と異なる構造を有するアーム部に交換することも容易である。
【００５４】
また、ベース板１０が、便器２と便座３の間に挟んで便器２に固定されるものであることから、当初から手すりを有さない便器２に対して、容易に本手すり１を拡張的に後付けすることができる。また、ベース板１０の水平部１１に、便座３を便器２に固定するネジと位置が揃ったベース固定穴１３，１３が形成され、このベース固定穴１３，１３を介してベース板１０が便座３と共締めされることから、ベース板１０の固定構造が簡素なものとなっている。さらに、便座３を取り付けるネジの位置さえ同じであれば、種々の便器２にベース板１０を固定して、手すり１を使用することができる。
【００５５】
さらに、ベース板１０の側面部１２ａ，１２ｂに、縦横に等間隔に配列されたアーム取付穴１４が形成されていることにより、ベース板１０に対するアーム部２０の取り付け位置を、前後方向および上下方向の複数の位置から選択することができる。図１の場合には、側面部１２ａ，１２ｂ一方あたり、前後方向に４つ、上下方向に３つの合計１２個のアーム取付穴１４が形成されていることにより、前後方向に３とおり、上下方向に２とおりの合計６通りの取り付け位置に、アーム部２０を取り付けることができる。アーム部２０の取り付け位置は、使用者の体格、姿勢の好みなどに応じて、手すり本体２１’を適切な位置に配置できるように、適宜選択すればよい。
【００５６】
そして、ベース板１０の２つの側面部１２ａ，１２ｂに、同じアーム取付穴１４の配列が形成されていることと、アーム部２０の固定部３０の両面に、同じ取付柱３２が形成されていることによって、同一のアーム部２０を、便器２の左右いずれの側にでも取り付けることができる。スペーサ４１ａ，４１ｂや３種の化粧板５０，５５，６０も、便器２の左右どちら側にアーム部２０を取り付ける場合にそのまま使用することができるので、アーム部２０を取り付ける側によって、異なる部材を使用するようなことは必要でない。これにより、使用者は、体格や利き手、姿勢の好み、片側の壁面にのみ手すりが造り付けてある等のトイレ室の構造に応じて、便器２の左側、右側、左右両側から、アーム部２０の取り付け位置を自由に選択することができる。また、製造者は、左側用と右側用で、アーム部２０をはじめとする各部材を作り分ける必要がないので、手すり１の製造および管理に要するコストを抑えることができる。図３は、便器２の左右両側に同一のアーム部２０を取り付けた状態を示している。
【００５７】
また、本手すり１のアーム部２０においては、本体骨格２１と固定部３０の間が、ラチェット機構を有するヒンジ部３５によって結合されている。そのため、手すり本体２１’を便器２に取り付けた状態で、手すり本体２１’を便器２に対して前後方向面内で回動することができる。これにより、使用者は、体格や姿勢の好み等に応じて、便器２に対する手すり本体２１’の角度を調節することができる。また、手すり本体２１’を上方に回動させて跳ね上げることで、電池ボックス９０に設置される電池の交換を容易に行うことができる。手すり本体２１’を上方に跳ね上げられることで、便器２の清掃を行う際の作業性も向上される。
【００５８】
さらに、本手すり１においては、ベース板１０と固定部３０の間に、外側スペーサ４０ｂを挟んだ状態で、ネジ６５を使用して固定部３０をベース板１０に固定できることで、手すり本体２１’の取り付け位置を左右方向に調節することができる。つまり、外側スペーサ４０ｂの枚数を増減させることや、厚さの異なる外側スペーサ４０ｂを複数用意し、それらを入れ替えることで、ベース板１０とアーム部２０の間の距離を調整することができる。手すり本体２１’を最もベース板１０に近づけたい場合には、外側スペーサ４０ｂを１枚も使用しなければよい。このようにして、使用者の体格や姿勢の好み等に応じて、手すり本体２１’の左右方向の取り付け位置を適宜調節すればよい。
【００５９】
以上のように、本手すり１においては、ベース板１０を便器２に固定したままで、手すり本体２１’の取り付け位置を、左右両側から選択可能である。さらに、手すり本体２１’の前後方向、左右方向、上下方向に調整することができ、手すり本体２１’の前後方向面内の回転角度も調節することができる。これにより、使用者は、体格や姿勢の好み等に応じて、容易に、かつ大きな自由度で、手すり本体２１’の配置を選択することができる。
【００６０】
なお、手すり本体２１’の取り付け位置の変更を可能とする構成は、上記実施形態のもの以外にも考えられる。まず、上記のような水平部１１と側面部１２ａ，１２ｂを有し、側面部１２ａ，１２ｂにアーム取付穴１４を有するベース板１０を用いる構成によらなくても、例えば、便器２と一体の部材として、手すり本体２１’を取り付け可能な構造体を便器２の左右両側に設けておけば、手すり本体２１’を、便器２の左右両側に取り付けることができる。このような構造体としては、例えば、上記ベース板１０の側面部１２ａ，１２ｂのような形状の部材を、便器２に直接固定しておくことが考えられる。
【００６１】
また、手すり本体２１’の位置を上下方向および前後方向に調節可能とするための機構としては、上記のように、ベース板１０上の複数の取り付け可能位置（アーム取付穴１４によって規定される位置に相当）から一部を選択して、固定部３０の基板３１上の取付部材（取付柱３２に相当）を挿入、係合等する形式以外のものも考えられる。例えば、固定部３０の基板３１上に突出形成した取付部材を、ベース板１０に形成した長穴状の取付穴に嵌め込み、取付穴の長さの範囲内で、アーム部２０の取り付け位置を変更可能とする構成を挙げることができる。この場合のように、ベース板１０上の取り付け可能位置を規定する部材と固定部３０上の取付部材は、アーム取付穴１４および取付柱３２の組み合わせ以外にも、相互に挿入、係合等し、適宜ネジ６５のような補助部材を用いて、可逆的に相互に固定可能であれば、いかなる構造を有していてもかまわない。
【００６２】
あるいは、本体骨格２１および外観パネル７０の延出部２２，７２または基部２３，７３の中途部に、二重管構造や蛇腹構造などによって伸縮可能な部位を形成することでも、手すり本体２１’の見かけ上の取り付け位置を、前後方向および左右方向に変更することができる。この場合、延出部２２，７２に伸縮可能な部位を設けると、主として前後方向の見かけの取り付け位置が変更され、基部２３，７３に伸縮可能部位を設けると、主として上下方向の見かけの取り付け位置が変更される。
【００６３】
上記実施形態にかかる手すりにおいては、パネル基部７３の下面７３ａに開口部９０ｂを有して、電池ボックス９０が形成されている。手すり本体２１’を図２、図３に示すように前方に倒し、使用状態とした場合には、電池ボックス９０およびその蓋９０ａが使用者に視認されにくく、電池ボックス９０が手すり本体２１’の意匠性を損なうことがない。一方、ヒンジ部３５のラチェット機構を利用して手すり本体２１’を跳ね上げた状態では、電池ボックス９０の開口部９０ｂが、前方に向く。これにより、電池交換を行う際に、作業者が便器２の前に位置した状態で、かつ電池ボックス９０の部分を目視しながら作業を行うことができるので、電池交換の作業が行いやすい。また、手すり本体２１’を跳ね上げた状態で、電池ボックス９０の開口部９０ｂが前方の水平面Ｈと鈍角θをなしていることで、電池に働く重力の電池ボックス９０内に向かう成分を利用しながら、使用済の電池や新しい電池を床に落下させることなく、電池交換をスムーズに行うことができる。このような電池ボックス９０の配置により、電池交換について高い作業性が得られる。ここで、上記実施形態においては、収納部である電池ボックス９０には、電池が収納された。しかし、電池以外の電力供給手段等、交換を必要とする任意の部材を収納可能な収納部９０を、同様に手すり本体２１’を起立させた状態で前方に向く面に形成された鈍角面に開口部９０ｂが臨むように、設けることができる。この場合にも、意匠性を損なうことなく、その交換を必要とする部材の交換に際して高い作業性を享受することができる。電池等の電力供給手段以外の交換を必要とする部材としては、ヒューズ等を例示することができる。
【００６４】
以上、本発明の実施形態について詳細に説明したが、本発明は上記実施例に何ら限定されるものではなく、本発明の要旨を逸脱しない範囲で種々の改変が可能である。本発明の実施形態においては、操作スイッチ群の配置における特徴と合わせて、手すり本体の取り付け構造および電池ボックス（収納部）の配置が、それぞれの特徴を発揮している。しかし、手すり本体の取り付け構造および電池ボックス（収納部）の配置は、それぞれ単独で任意のトイレ用手すりに適用された場合にも、それぞれの効果を発揮することができる。例えば任意のトイレ用手すりの、跳ね上げ可能な手すり本体の下面に、跳ね上げた時に前方の水平面と鈍角をなす鈍角面を形成し、その鈍角面に電池ボックス（収納部）の開口部を形成する構成とすれば、電池交換（交換を要する部材の交換）の利便性の効果を享受することができる。
【符号の説明】
【００６５】
１                トイレ用手すり
２                便器
３                便座
１０              ベース板
１１              水平部
１２ａ，１２ｂ    側面部
１３              ベース固定穴
１４              アーム取付穴
２０              アーム部
２１              本体骨格
２１’            手すり本体
２２              骨格延出部
２３              骨格基部
３０              固定部
３２              取付柱
３３              ネジ穴
３５              ヒンジ部
４０ａ            内側スペーサ
４０ｂ            外側スペーサ
４１ａ，４１ｂ    スペーサ穴
５０              第一化粧板
５５              第二化粧板
６０              第三化粧板
６５              ネジ
７０              外観パネル
７２              パネル延出部
７２ａ            （パネル延出部の）下面
７２ｂ            （パネル延出部の）側面
７２ｃ            （パネル延出部の）先端面
７２ｄ            （パネル延出部の）上面
７３              パネル基部
８０              操作スイッチ群（操作部）
８０ａ〜８０ｃ    操作スイッチ
８５              赤外線発光部
９０              電池ボックス（収納部）
９０ａ            電池ボックス（収納部）の開口部
９０ｂ            電池ボックス（収納部）の蓋
【図１】
2015002842.tif 000003
【図２】
2015002842.tif 000004
【図３】
2015002842.tif 000005
【図４】
2015002842.tif 000006
【図５】
2015002842.tif 000007
【図６】
2015002842.tif 000008